Podtech/llm-jp-corpus-v4-ja_patent huggingface dataset:
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
摩擦付き押し溶接スピンドルアッセンブリにおいて、
中央ボアを持つ支持体、
付き押し溶接工具を支持するようになったスピンドルシャフトであって、その一部が前記支持体と協働し、スピンドルシャフトを前記支持体に対して軸線方向に変位させるようになったアクチュエータを形成する、スピンドルシャフト、
前記スピンドルシャフトを前記支持体に対して回転できると同時に軸線方向に変位できるようにするベアリングアッセンブリ、及び
前記スピンドルシャフトの軸線方向変位と一致する力及び前記スピンドルシャフトの軸線方向位置のうちの少なくとも一方を示す出力信号を提供するようになった感知装置を含む、摩擦付き押し溶接スピンドルアッセンブリ。
【請求項２】
摩擦付き押し溶接スピンドルアッセンブリにおいて、
中央ボアを持つ支持体、
付き押し溶接工具を支持するようになったスピンドルシャフト、
前記スピンドルシャフトが前記ボア内で前記支持体に対して回転できると同時に軸線方向に変位できるようにするベアリングアッセンブリ、及び
前記スピンドルシャフトの軸線方向変位と一致する力を示す出力信号を提供するようになった荷重感知装置を含む、摩擦付き押し溶接スピンドルアッセンブリ。
【請求項３】
請求項１又は２に記載の摩擦付き押し溶接スピンドルアッセンブリにおいて、前記支持体は支持シリンダを含み、前記スピンドルシャフトの前記部分は前記ボアの内面と協働して加圧可能なチャンバを形成し、これらのチャンバは、加圧されたとき、前記スピンドルシャフトを前記支持シリンダに対して軸線方向に変位させる、摩擦付き押し溶接スピンドルアッセンブリ。
【請求項４】
請求項１に記載の摩擦付き押し溶接スピンドルアッセンブリにおいて、前記感知装置は、前記チャンバ内の圧力を感知する圧力センサを含む、摩擦付き押し溶接スピンドルアッセンブリ。
【請求項５】
請求項１に記載の摩擦付き押し溶接スピンドルアッセンブリにおいて、前記感知装置はロードセルを含む、摩擦付き押し溶接スピンドルアッセンブリ。
【請求項６】
請求項１ないし３のいずれかに記載の摩擦付き押し溶接スピンドルアッセンブリにおいて、スピンドルベースを更に含み、前記感知装置は、前記支持体を前記スピンドルベースに連結するロードセルを含む、摩擦付き押し溶接スピンドルアッセンブリ。
【請求項７】
請求項６に記載の摩擦付き押し溶接スピンドルアッセンブリにおいて、前記支持体を前記スピンドルベースに連結する複数のロードセルを更に含み、これらのロードセルは前記スピンドルシャフトを中心として間隔が隔てられて配置されている、摩擦付き押し溶接スピンドルアッセンブリ。
【請求項８】
請求項１，２，３，６，７のいずれかに記載の摩擦付き押し溶接スピンドルアッセンブリにおいて、前記スピンドルシャフトに結合されたモータをさらに含み、該モータは前記スピンドルシャフトとともに軸線方向に移動する、摩擦付き押し溶接スピンドルアッセンブリ。
【請求項９】
請求項１，２，３，６，７，８のいずれかに記載の摩擦付き押し溶接スピンドルアッセンブリにおいて、前記スピンドルシャフト及び支持体に作動的に連結された軸線方向位置センサを更に含む、摩擦付き押し溶接スピンドルアッセンブリ。
【請求項１０】
請求項９に記載の摩擦付き押し溶接スピンドルアッセンブリにおいて、前記軸線方向位置センサは前記スピンドルシャフトと接触しない、摩擦付き押し溶接スピンドルアッセンブリ。
【請求項１１】
請求項１０に記載の摩擦付き押し溶接スピンドルアッセンブリにおいて、前記スピンドルシャフトは  前記軸線方向位置センサとともに作動できる円錐形部分を含み、前記スピンドルシャフトの前記円錐形部分と前記軸線方向位置センサとの間の隙間は前記スピンドルシャフトの軸線方向変位の関数として変化する、摩擦付き押し溶接スピンドルアッセンブリ。
【請求項１２】
請求項１ないし１１のいずれかに記載の摩擦付き押し溶接スピンドルアッセンブリにおいて、前記ベアリングアッセンブリは磁気ベアリングアッセンブリを含む、摩擦付き押し溶接スピンドルアッセンブリ。
【請求項１３】
請求項１ないし１２のいずれかに記載の摩擦付き押し溶接スピンドルアッセンブリにおいて、前記ベアリングアッセンブリは静圧ベアリングを含む、摩擦付き押し溶接スピンドルアッセンブリ。
【請求項１４】
請求項１３に記載の摩擦付き押し溶接スピンドルアッセンブリにおいて、前記スピンドルシャフトが前記支持体に対して回転でき且つ軸線方向に変位できるようにする第２ベアリングアッセンブリを更に含み、前記スピンドルシャフトの前記部分は最初に言及したベアリングアッセンブリと第２ベアリングアッセンブリとの間に配置されている、摩擦付き押し溶接スピンドルアッセンブリ。
【請求項１５】
摩擦付き押し溶接スピンドルアッセンブリにおいて、
ベース、
付き押し溶接工具を支持するようになったスピンドルシャフトを持つアクチュエータを形成するための手段、
前記スピンドルシャフトが前記スピンドル軸線に関して回転できると同時に軸線方向に変位できるようにするベアリングアッセンブリ、及び
前記ベースに関する前記スピンドルシャフトの軸線方向変位と一致する力及び前記スピンドルシャフトの軸線方向位置の少なくとも一方を示す出力信号を提供するための手段を含む、摩擦付き押し溶接スピンドルアッセンブリ。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
マットレス（１１）の一部を上昇及び下降させる際に使用するための膨張式ブラダーを制御するためのシステム（１０）であって、
膨張と空気放出を行うため、圧縮機アセンブリ（３０）に連結される給気ホース（１７，１８）を有する少なくとも１つの膨張式ブラダー（１５，１６）と、
ブロワ（３８）及びモータ（４０）を有する第１のチャンバ、空気がそこを通過できるようにするバルブアセンブリ（４４）が前記第１のチャンバに相互接続されるより小さな第２のチャンバ、及び前記給気ホース（１７，１８）に連結される空気吹き出し口を備える前記圧縮機アセンブリ（３０）と、
前記モータ（４０）の動作を制御するためのマイクロプロセッサ（２３）を有し、該マイクロプロセッサは、それぞれが予め決められた位置にブラダーの膨張のための値を表す複数の値を含む記憶されている表を有するような、コントローラ（２０）と、
を備えている、システム。
【請求項２】
前記コントローラ（２０）は、前記マイクロプロセッサ（２３）にコマンドを提供するための少なくとも１つのセレクタを有する前記マイクロプロセッサ（２３）と関連付けられるインタフェースであって、前記ブラダー（１５，１６）の位置が、前記マイクロプロセッサ（２３）に選択された位置を表す記憶されている値を検索するように命令することにより選択することが可能であり、前記マイクロプロセッサ（２３）が選択された位置に前記マットレス（１１）を配置するために選択された記憶されている値に基づいて前記ブラダー（１５，１６）を膨らませるべく前記モータ（４０）を制御するインタフェースをさらに備えている、請求項１に記載のシステム。
【請求項３】
前記少なくとも１つの膨張式ブラダー（１５）は、膨張時に三角形状構造となり、前記三角形状を維持すべく内部バッフル（２１）を有する可撓性気密高分子材料から構成されている、請求項１に記載のシステム。
【請求項４】
前記制御手段（２０）がハンドヘルドコントローラである、請求項１に記載のシステム。
【請求項５】
前記圧縮機アセンブリ（３０）は、前記第１のチャンバと前記第２のチャンバとの間に配置される逆止弁（５２）を備えている、請求項１に記載のシステム。
【請求項６】
前記圧縮機アセンブリ（３０）は、前記第１のチャンバと前記第２のチャンバとの間に配置されるアンブレラバルブ（５２ｄ）を備えている、請求項１に記載のシステム。
【請求項７】
前記圧縮機アセンブリ（３０）は、前記ブラダーと関連付けられる安全弁（６０）を備え、閉鎖位置にある前記安全弁が前記ブラダーの中の空気を保持し、開放状態で前記ブラダーから空気を放出するようになっている、請求項１に記載のシステム。
【請求項８】
前記マイクロプロセッサ（２３）が前記安全弁（６０）と通信しており、前記安全弁の閉鎖位置及び開放位置を制御している、請求項１に記載のシステム。
【請求項９】
前記安全弁（６０）は、安全弁（６０）が開いているときに、空気がハウジングの外部に排気されるように、前記逆止弁（５２）から離れて位置している、請求項７に記載のシステム。
【請求項１０】
安全弁（６０）は前記圧縮機ハウジング内に配置されている、請求項１に記載のシステム。
【請求項１１】
２つの膨張式ブラダー（１５，１６）があり、前記ブラダーの少なくとも１つに対する空気は、エアホース（１９）を介して前記ブラダー及び前記圧縮機アセンブリ（３０）に、エアホース（１７，１８）により連結されるＴバルブを通過するようになっている、請求項１に記載のシステム。
【請求項１２】
ベッドの頭部に一方、足に他方の２つのブラダー（１５，１６）、前記ブラダーを２つの区分化されたバルブアセンブリ（４４ａ，４４ｂ）に連結する１対の給気ホース（１７，１８）、及び圧縮機アセンブリ（３０）の動作を制御するためのコントローラ（２０）がある、請求項１に記載のシステム。
【請求項１３】
調整可能ベッドレスト（１５）と共に使用するための圧縮機アセンブリ（３０）であって、
第１のチャンバと第２のチャンバを有するハウジングであって、前記第１のチャンバは空気取り入れ口、遠心ブロワ（３８）及びモータ（４０）を有し、前記第２のチャンバは前記１のチャンバに相互接続されるバルブアセンブリ（４４）及び給気ホースに連結可能な空気出口を有するハウジングと、
圧縮空気が前記バルブアセンブリの中に入ることができるようにするために、前記第１チャンバと前記第２チャンバとの間で前記第２チャンバ内に配置されるバルブ（５２）を有する前記バルブアセンブリ（４４）と、
前記モータ（４０）の動作を制御するための手段（２０）と、
を備えている、圧縮機アセンブリ。
【請求項１４】
前記バルブアセンブリ（４４）は、バルブ（５２）及び安全弁（６０）を備えている、請求項１３に記載の圧縮機アセンブリ。
【請求項１５】
前記バルブ（５２）が逆止弁である、請求項１３に記載の圧縮機アセンブリ。
【請求項１６】
前記逆止弁（５２）がアンブレラバルブ（５２ｄ）である、請求項１３に記載の圧縮機アセンブリ。
【請求項１７】
前記バルブ（５２）は、弾性材料から作られたバルブプレート（５５ｄ）を有している、請求項１３に記載の圧縮機アセンブリ。
【請求項１８】
前記バルブアセンブリ（４４）が前記第２のチャンバ内に配置される安全弁（６０）をさらに備え、該安全弁が開いているときに、空気が前記圧縮機アセンブリの外部に排気されるようになっている、請求項１３に記載の圧縮機アセンブリ。
【請求項１９】
空気を前記第２チャンバの中に遷移するために前記第１のチャンバと前記より小さな第２のチャンバとの間に配置される複数のフィンサポートフレーム（２２）をさらに備えている、請求項１３に記載の圧縮機アセンブリ。
【請求項２０】
マットレスの一部を上昇及び下降させるためにブラダーを膨らませ、かつ空気を放出するための給気管（１７）を有する膨張式ブラダー（１５）を備えるベッドレストであって、前記ブラダーが膨張時に三角形状構造となり、前記三角形状を維持するために内部バッフル（２１）を有する可撓性気密高分子材料から構成されている、ベッドレスト。
【請求項２１】
前記内部バッフル（２１）は、主に前記ブラダー（１５）の長さ分広がり、かつ前記ブラダーの内壁に溶接され、膨張時に前記ブラダーの三角形成物に対し逆の逆三角形を形成する２枚のシート材である、請求項２０に記載のベッドレスト。
【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
第１動き信号及び第２動き信号により動いている対象物の画像シーケンスからの基準画像について対応する画像を決定する方法であって：
前記第１動き信号及び前記第２動き信号は、前記対象物の第１動き及び第２動きの状態に調子を合わせたそれぞれの変化を表し；
前記画像シーケンスは、動きの状態の画像シーケンスとして前記対象物の前記第１動きを表し；
前記基準画像は第２の対象物の動きから動きの状態を表し、前記対象物の前記第２動きの間の基準の瞬間に捕捉される；
方法であり、
前記第１動き信号及び前記第２動き信号の類似性比較としての類似性関数を決定する段階；
前記類似性関数により前記第１動き信号における対応瞬間を決定する段階であって、前記対応瞬間は前記第２動き信号からの前記基準画像の捕捉瞬間に対応する、段階；並びに
前記第１動き信号を用いて、捕捉瞬間が少なくとも前記対応瞬間に略対応する画像シーケンスの画像を決定する段階；
を有することを特徴とする方法。
【請求項２】
請求項１に記載の方法であって、前記類似性関数は、所謂、動的タイムワーピング方法により得られる、ことを特徴とする方法。
【請求項３】
請求項１に記載の方法であって、補間画像は前記対応する画像から生成され、更なる画像は前記画像シーケンスから生成され、その補間画像は少なくとも実質的に前記対応瞬間の前記対象物の動きの状態を表す、ことを特徴とする方法。
【請求項４】
請求項１に記載の方法であって、前記第１動き信号及び前記第２動き信号は心電図信号を生成し、前記画像シーケンスの前記画像及び前記基準画像は人間又は動物の心臓の動きの状態を表す、ことを特徴とする方法。
【請求項５】
請求項４に記載の方法であって、前記心臓の血管は、前記画像シーケンスの画像又は前記基準画像のコントラスト媒体で少なくとも一部を満たされている、ことを特徴とする方法。
【請求項６】
請求項１に記載の方法であって、前記画像シーケンスはＸ線画像シーケンスを生成し、及び／又は、前記基準画像はＸ線画像を生成する、ことを特徴とする方法。
【請求項７】
請求項１に記載の方法であって、前記画像シーケンス及び／又は前記基準画像は超音波画像を生成する、ことを特徴とする方法。
【請求項８】
第１動き信号及び第２動き信号により画像シーケンスから基準画像のための動いている対象物の対応する画像を決定するためのデータ処理ユニットを有するシステムであって、
請求項１に記載の方法を実行するために配置されている、ことを特徴とするデータ処理ユニット。
【請求項９】
心電図信号の検出のための手段及びＸ線画像検出器を有する検査装置であって、請求項８に記載のシステムを有する、ことを特徴とする検査装置。
【請求項１０】
データ処理ユニットが請求項１に記載の方法を実行することができるような方法で、前記データ処理ユニットと協働するように配置されているコンピュータプログラム。
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
搾乳器であって、
硬質材料と、
搾乳器の使用中使用者の手で前記硬質材料に対して弾性的に圧縮できる圧縮性材料と、
前記硬質材料で作られ、乳房の上に置くための漏斗形シールド部分及び前記漏斗形シールド部分から延びるスリーブ部分を有するフード部材と、
前記硬質材料で作られ、前記スリーブ部分に連結されたハウジングと、
前記硬質材料で作られ、手で掴まれるように寸法決めされ且つ形作られ、操作される時前記ハウジングに負圧を付与するための可動ハンドルと、を含み、
前記圧縮性材料は、使用者の手による前記可動ハンドルの繰り返しの掴みを容易にし、それによって搾乳器を人間工学的に改善するために前記可動ハンドルの少なくとも一部分で前記硬質材料の上に位置決めされている、搾乳器。
【請求項２】
前記硬質材料で作られた容器を更に含み、前記容器は、搾り出された乳を受け入れるために前記フード部材と流体連通して前記ハウジングに解放自在に取り付けられる、請求項１に記載の搾乳器。
【請求項３】
前記圧縮性材料は弾性的に圧縮可能であり、使用者の指が、使用中付加的な掴みをもたらすために前記圧縮性材料を変形させ、前記圧縮性材料は、軟質の弾性的に変形可能な、ほぼ滑り止め材料で形成される、請求項１に記載の搾乳器。
【請求項４】
前記圧縮性材料は複数のエラストマーリブの形態で設けられる、請求項１に記載の搾乳器。
【請求項５】
前記リブは前記ハンドルの長軸と直交して配置される、請求項４に記載の搾乳器。
【請求項６】
前記リブは１つ又はそれ以上で直線、円弧状、又はＳ形である、請求項４に記載の搾乳器。
【請求項７】
前記リブは前記ハンドルの上面の長さにそって分配される、請求項４に記載の搾乳器。
【請求項８】
前記可動ハンドルは、圧縮性材料を含む下側を有する、請求項１に記載の搾乳器。
【請求項９】
前記圧縮性材料は、１つ又はそれ以上の層、ストリップ、ドット、クロスハッチ、バー、リッジ、チップ及びバッドの形態で設けられる、請求項１に記載の搾乳器。
【請求項１０】
前記圧縮性材料は印刷しるしを備えている、請求項１に記載の搾乳器。
【請求項１１】
前記圧縮性材料は前記フード部材の少なくとも一部分に位置決めされる、請求項１に記載の搾乳器。
【請求項１２】
前記圧縮性材料は前記ハウジングの少なくとも一部分に位置決めされる、請求項１１に記載の搾乳器。
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
女性患者の子宮動脈を閉塞するための膣内の閉塞装置であり、
遠位の端部を持つあご部、前記遠位の端部上の面、旋回軸上の近位の端部、および、組織受け取り用のくぼみを形成し、かつ、近位から回転される近位の端部へ延在するハンドルを有する、遠位と近位の端部間の内側面を有する第１の細長い部材と；
遠位の端部を持つあご部、前記遠位の端部上の面、旋回軸上の近位の端部、および、組織受け取り用のくぼみを形成し、かつ、近位から回転される近位の端部へ延在するハンドルを有する、遠位と近位の端部間の内側面を有する第２の細長い部材と；および
閉じられた配置では、他方のあご部の端部に向かう観察方位を持つ、第１または第２のあご部の少なくとも１つの遠位の端部に取り付けられた少なくとも１つの血液流センサーと；を備える装置。
【請求項２】
両あご部が閉じた配置にある場合、第１のガイドチャンネルは、第１の細長い部材のあご部の遠位の端部を通って延在し、そして、第２のガイドチャンネルは、第２の細長い部材のあご部の遠位の端部を通って延在して、第１のガイドチャンネルと連続する請求項１記載の装置。
【請求項３】
血液流センサーがドップラー・クリスタルである、請求項１記載の装置。
【請求項４】
少なくとも１つのドップラー・クリスタルは、第１と第２の遠位の端面の１つに取り外し可能に取り付けられる請求項３記載の装置。
【請求項５】
少なくとも１つのドップラー・クリスタルは、第１と第２の遠位の端面の１つに一体的に形成される請求項３記載の装置。
【請求項６】
ドップラー・クリスタルは、第１と第２の遠位の端面の各々に取り付けられる請求項１記載の装置。
【請求項７】
複数のドップラー・クリスタルは、第１と第２の遠位の端面の各々に取り付けられる請求項１記載の装置。
【請求項８】
複数のドップラー・クリスタルは、第１と第２の遠位の端面に取り付けられる請求項１記載の装置。
【請求項９】
近位の開口、遠位の開口、と近位および遠位の開口の間に延在するルーメンを有する第１のあご部上の第１のガイドチャンネルと、
近位の開口、遠位の開口、と近位および遠位の開口の間に延在するルーメンを有する第２のあご部上の第２のガイドチャンネルとを更に備える請求項１記載の装置。
【請求項１０】
第１のガイドチャンネルの遠位の開口および第２のガイドチャンネルの遠位の開口は、両あご部が閉じた配置にある場合、互いの他方に向く請求項７記載の装置。
【請求項１１】
第１のガイドチャンネルのルーメンおよび第２のガイドチャンネルのルーメンを通り抜けるようにサイズが決定され、形成された縫合リーダー、および、縫合リーダーに取り付けられた所定長の結紮材料を更に備える請求項７記載の装置。
【請求項１２】
第１および第２の双方のあご部の前記内側表面は、組織を受け取るくぼみを決定する請求項１記載の装置。
【請求項１３】
第１および第２のあご部の少なくとも一方がCの形状である請求項１記載の装置。
【請求項１４】
第１と第２のあご部は双方ともCの形状である請求項１０記載の装置。
【請求項１５】
子宮、頚部口を備えた頚部および膣の頭蓋の円蓋を備えた膣壁を持つ女性患者の子宮の動脈を閉塞するシステムであり、
圧縮用部材が膣の頭蓋の円蓋に達するまで、前記圧縮用部材を膣内にて、子宮動脈に隣接する患者の膣の頭蓋の円蓋の部位に向けて進行させるための手段と；
２つの実質的に対向する側にある子宮動脈に隣接する膣の頭蓋の円蓋にて、膣壁を膨らますために有効な圧縮用部材を操作するための手段と;
患者の子宮動脈を位置決めるために血液流を検知するセンサー手段と；および
位置決めされた子宮動脈が少なくとも部分的に閉塞されるまで、圧縮用部材で膣の頭蓋の円蓋壁の部分を押すための手段と；を備えるシステム。
【請求項１６】
子宮動脈を通過する血液流を検知するための手段は、観察方位を有する少なくとも１つのドップラー・クリスタルである請求項１３記載のシステム。
【請求項１７】
血液流を検知するための手段は、前記観察方位内にて、二つの本質的に反対側の子宮動脈を通過するラインに沿った血液流を検知するように構成される請求項１４記載のシステム。
【請求項１８】
子宮動脈中の血液流が止まった後、子宮動脈は、治療上有効な時間に対して少なくとも部分的に閉塞される請求項１４記載のシステム。
【請求項１９】
本システムのあご部は、対向する面を有し、そして、両あご部の二つの端面間に、子宮動脈を圧縮する請求項１３記載のシステム。
【請求項２０】
前記あご部は、所定長の結紮材料で子宮動脈を閉塞するために、結紮材料を子宮動脈の回りに仕向けるガイドチャンネルを持つ請求項１３記載のシステム。
【手続補正書】
【提出日】平成18年3月31日(2006.3.31)
【手続補正１】
【補正対象書類名】特許請求の範囲
【補正対象項目名】請求項４０
【補正方法】変更
【補正の内容】
【請求項４０】
細長いブリスター・ストリップ上に連続して配置された複数のブリスターの各々に定められた量の製品を装填する方法であって、
a)孔あき板の連続して配置された複数の孔を閉鎖すること、
b)前記孔あき板から間隔を置いて配置された第1の誘導ブレードのスイーピング動作によって、前記閉鎖された複数の孔の中に粉体を誘導すること、および
c)それぞれの前記孔の前記内容物を、前記細長いブリスター・ストリップの対応するブリスターに移し替えること、
を含み、前記孔あき板と前記第1の誘導ブレードの相対回転運動を特徴とする方法。
【手続補正２】
【補正対象書類名】特許請求の範囲
【補正対象項目名】請求項４５
【補正方法】変更
【補正の内容】
【請求項４５】
定められた量の製品を容器に装填するための装置であって、
a)孔あき板と、
b)前記孔あき板の孔を可逆的に閉鎖する閉鎖手段と、
c)前記孔あき板から間隔を置いて配置された第1の誘導ブレードを備え、前記閉鎖された孔の中に粉体を誘導する誘導手段と、
d)前記孔の前記内容物を前記容器に移し替える移し替え手段と、
を備え、前記孔あき板と前記第1の誘導ブレードが相対的に回転運動可能である装置。
【手続補正３】
【補正対象書類名】特許請求の範囲
【補正対象項目名】請求項８０
【補正方法】変更
【補正の内容】
【請求項８０】
細長いブリスター・ストリップ上に連続して配置された複数のブリスターの各々に、定められた量の製品を装填するための装置であって、
a)連続して配置された複数の孔をその中に有する孔あき板と、
b)前記孔あき板の前記複数のそれぞれの孔を可逆的に閉鎖する閉鎖手段と、
c)前記孔あき板から間隔を置いて配置された第1の誘導ブレードを備え、前記閉鎖されたそれぞれの孔の中に粉体を誘導する誘導手段と、
d)それぞれの前記孔の前記内容物を、前記細長いブリスター・ストリップの対応するブリスターに移し替える移し替え手段と、
を備え、前記孔あき板と前記第1の誘導ブレードが相対的に回転運動可能である装置。
【手続補正４】
【補正対象書類名】特許請求の範囲
【補正対象項目名】請求項８１
【補正方法】変更
【補正の内容】
【請求項８１】
前記孔あき板が、前記孔あき板上に円形に配置された複数の孔を有する平らな円板の形態をとる、請求項80に記載の装置。
【手続補正５】
【補正対象書類名】特許請求の範囲
【補正対象項目名】請求項８２
【補正方法】変更
【補正の内容】
【請求項８２】
前記孔あき板のそれぞれの孔の位置を、前記ブリスター・ストリップの対応するブリスターの位置に順番に合わせる位置合せ手段をさらに備えた、請求項80または81に記載の装置。
【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
患者と遠隔地との間で情報を伝達するための生体用電極であって、
前記遠隔地に情報を伝達するように適合された信号処理回路と電気的に接触している第１の量の導電媒質と、
前記信号処理回路に接続されたガルバーニ電池であって、アノード導体とカソード導体と電解質含有物質とを有し、前記患者において前記生体用電極が使用されるまで、前記アノード導体および前記カソード導体の少なくとも１方から前記電解質含有物質が分離されているガルバーニ電池とを具備することを特徴とする生体用電極。
【請求項２】
前記信号処理回路と電気的に接触している第２の量の導電媒質をさらに具備する、請求項１に記載の生体用電極。
【請求項３】
前記信号処理回路が基板に取り付けられており、前記基板が可撓性ポリマーフィルムである、請求項１に記載の生体用電極。
【請求項４】
前記基板に隣接する第１のバッキングをさらに具備しており、前記アノード導体または前記カソード導体の少なくとも１方が、前記基板に取り付けられた金属含有インクである、請求項３に記載の生体用電極。
【請求項５】
前記第１の量の導電媒質が、電解質含有ゲルおよび電解質含有導電性接着剤よりなるグループから選択される、請求項１に記載の生体用電極。
【手続補正２】
【補正対象書類名】明細書
【補正対象項目名】発明の名称
【補正方法】変更
【補正の内容】
【発明の名称】生体用電極
【手続補正３】
【補正対象書類名】明細書
【補正対象項目名】０００１
【補正方法】変更
【補正の内容】
【０００１】
本発明は、概して、活性化可能な電源セル（ｐｏｗｅｒ  ｃｅｌｌ）、ならびに、心電図モニタリングおよび経皮薬剤送達における上記セルの使用を含むような活性化可能な電源セルの適用に関する。１つの特殊な実施形態において、本発明は、活性化電源セルによって電力が供給され、かつ患者と遠隔地との間で無線接続を有する患者モニタリングデバイスに関する。
【手続補正４】
【補正対象書類名】明細書
【補正対象項目名】０００７
【補正方法】変更
【補正の内容】
【０００７】
もう１つの態様において、本発明は、患者と遠隔地との間で情報を伝達することが可能であり、かつ、その内部に不完全な構成状態のガルバーニ電池を有する生体用電極を提供する。この生体用電極は、概して、
（ａ）遠隔地に情報を伝達するように適合された信号処理回路と電気的に接触している第１の量の導電媒質（第１の導電媒質ともよばれる）と、
（ｂ）信号処理回路に接続されたガルバーニ電池であって、アノード導体とカソード導体と電解質含有物質とを有し、患者において生体用電極が使用されるまで、アノード導体およびカソード導体の少なくとも１方から電解質含有物質が分離されているガルバーニ電池とを具備する。
【手続補正５】
【補正対象書類名】明細書
【補正対象項目名】０００８
【補正方法】変更
【補正の内容】
【０００８】
さらにもう１つの態様において、本発明は、患者からの電気生理学的または電気生物学的起源の電気信号を入手して伝達する方法であって、
信号処理回路と電気的に接触している第１の量の導電媒質と、信号処理回路に接続されたガルバーニ電池であって、アノード構造とカソード構造と電解質含有物質とを具備し、アノード構造およびカソード構造の少なくとも１方から電解質含有物質が分離されているガルバーニ電池とを具備する生体用電極を提供する工程と、
信号処理回路と電気的に接触している第２の量の導電媒質（第２の導電媒質ともよばれる）を提供する工程と、
電解質含有物質をアノード構造およびカソード構造と接触させる工程と、
第１の量の導電媒質および第２の量の導電媒質を患者に適用する工程と、
患者の身体からの電気信号を変換して、診断、情報または治療情報を入手する工程と、
信号処理回路を経由して情報を送信する工程とを含む方法を提供する。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
哺乳類レシピエントの膵臓マスを増加させて膵臓疾患を治療するための医薬の製造における哺乳類ドナーから由来の哺乳類の膵臓組織の使用であって、該組織が、実質的に血管新生化されていない未熟膵臓組織をレシピエントにおいて少なくともインスリンを産生するように血管新生および成熟させることを可能にする条件下で、機能的キメラ膵臓内分泌部を発達させるように適応した実質的に血管新生化されていない未熟膵臓組織を含む使用。
【請求項２】
哺乳類レシピエントがヒトであり、哺乳類ドナーがブタであり、該組織が、ドナーの妊娠期間の約２０日〜約３５日の間に得られる、請求句１記載の使用。
【請求項３】
該組織が、ドナーの上腸間膜動脈の分枝の近傍に隣接する移植またはレシピエントの網嚢への移植に適応している、請求項１記載の使用。
【請求項４】
製剤が哺乳類レシピエントの糖尿病を治療するためのものであり、該糖尿病の治療が哺乳類レシピエントの膵臓マスを製剤で増加させることを含む、請求項１記載の使用。
【請求項５】
該組織が、さらに、少なくとも１種の免疫抑制剤または少なくとも１種の共刺激遮断剤と同時投与するのに適しており、該薬剤が、該レシピエントによる該組織の拒絶反応の機会を減少させる、請求項１記載の使用。
【請求項６】
該実質的に血管新生されていない未熟膵臓組織が、少なくとも実質的に抗原提示細胞が無く、少なくとも１つの実質的に血管新生化されていない膵臓原基の少なくとも１つの未消化，未分裂部を含む、請求項１〜５いずれか１項記載の使用。
【請求項７】
該組織が少なくとも１つの腹側の膵臓原基，少なくとも１つの背側の膵臓原基または少なくとも１つの全膵臓を含む、請求項６記載の使用。
【請求項８】
哺乳類レシピエントの膵臓マスを増加させるための哺乳類レシピエントの腹腔への移植に適応した哺乳類未熟膵臓組織の細胞を含む移植製剤であって、該組織が、少なくとも実質的に抗原提示細胞が無く、少なくとも１つの実質的に血管新生化されていない膵臓原基の少なくとも１つの未消化、未分裂部を含む、移植製剤。
【請求項９】
該組織を処理するか、または移植前および採取後に組織を冷却下で維持することにより、または該組織を成長因子に接触させることにより、組織を移植に適応させる、請求項８記載の製剤。
【請求項１０】
該組織が、少なくとも１つの腹側の膵臓原基，少なくとも１つの背側の膵臓原基または少なくとも１つの全膵臓を含む、請求項８または９記載の製剤。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
骨修復のための生体再吸収可能な骨伝導性組成物であって、以下：
ａ）生体再吸収可能なポリマーマトリクス
ｂ）該マトリクス中の生体適合性のミクロ粒子またはナノ粒子であって、該マトリクスの機械的特性を増強するのに効果的であり、足場内の骨細胞の高密度の内殖、移植後の内殖組織と周囲組織との統合、血管形成、または美容外科的回復を可能にする、ミクロ粒子またはナノ粒子
；および
ｃ）該マトリクス中の孔または孔生成材料、
を含む、組成物。
【請求項２】
請求項１に記載の組成物であって、ここで、前記粒子が、金属、炭酸カルシウム、炭素、バイオセラミック、および合成材料からなる群から選択される材料で形成される、組成物。
【請求項３】
請求項１に記載の組成物であって、ここで、前記粒子が、バイオセラミックで形成される、組成物。
【請求項４】
請求項１に記載の組成物であって、ここで、前記粒子が、ヒドロキシアパタイトで形成される、組成物。
【請求項５】
請求項１に記載の組成物であって、ここで、前記粒子が、金属で形成される、組成物。
【請求項６】
請求項１に記載の組成物であって、ここで、前記生体再吸収可能なポリマーが、ポリ（Ｌ−乳酸）、ポリ（Ｄ  Ｌ−乳酸）、ポリ（Ｄ  Ｌ−乳酸−ｃｏ−グリコール酸）、ポリ（グリコール酸）、ポリ（ε−カプロラクトン）、ポリオルトエステル、ポリ無水物、ポリジオキサノン、共ポリ（エーテル−エステル）、ポリアミドポリラクトン、およびクエン酸、イソクエン酸、シス−アコニット酸、α−ケトグルタル酸、コハク酸、リンゴ酸、オキサロ酢酸およびフマル酸からなる群から選択される酸から生成されるポリエステルならびにそれらの組み合わせからなる群から選択される、組成物。
【請求項７】
請求項６に記載の組成物であって、ここで、前記生体再吸収可能なポリマーが、架橋剤を用いて架橋可能であるポリエステルである、組成物。
【請求項８】
請求項７に記載の組成物であって、ここで、前記生体再吸収可能なポリマーが、ポリ（プロピレングリコール−フマル酸）である、組成物。
【請求項９】
請求項８に記載の組成物であって、ここで、前記架橋剤が、ビニルピロリドンおよびメチルメタクリル酸塩からなる群から選択される、組成物。
【請求項１０】
請求項９に記載の組成物であって、ここで、前記架橋剤が、ビニルピロリドンである、組成物。
【請求項１１】
請求項１に記載の組成物であって、１００ミクロンと１０００ミクロンとの間の範囲にある孔を含む、組成物。
【請求項１２】
孔形成剤を含む請求項１に記載の組成物であって、ここで、前記孔または孔生成材料が発砲剤である、組成物。
【請求項１３】
請求項１２に記載の組成物であって、ここで、前記発砲剤が、カーボネートおよび酸である、組成物。
【請求項１４】
孔形成剤を含む請求項１に記載の組成物であって、該孔形成剤が、前記ポリマーについて、非溶媒を用いて浸出可能である粒子および炭酸アンモニウムからなる群から選択される、組成物。
【請求項１５】
請求項１に記載の組成物であって、充填剤としてポリ（プロピレングリコールフマル酸）およびヒアルロン酸粒子を含む、組成物。
【請求項１６】
請求項１に記載の組成物であって、さらに、生物学的に活性な材料を含む、組成物。
【請求項１７】
請求項１に記載の組成物であって、さらに、同種移植片、自己移植片、異種移植片および無機質脱落骨からなる群から選択される移植片材料を含む、組成物。
【請求項１８】
請求項１６に記載の組成物であって、ここで、前記生物学的に活性な材料が、細胞および治療剤からなる群から選択される、組成物。
【請求項１９】
請求項１８に記載の組成物であって、前記生物学的に活性な材料が、増殖因子、抗生材料、抗ウイルス剤、抗真菌薬、免疫刺激剤、および免疫抑制剤からなる群から選択される治療剤である、組成物。
【請求項２０】
請求項１に記載の組成物であって、ここで、該組成物が、足場の形態である、組成物。
【請求項２１】
請求項１に記載の組成物であって、ここで、該組成物が、さらに繊維または他の構造支持体を含む、組成物。
【請求項２２】
請求項１に記載の組成物であって、骨修復または骨再生のための部位へ移植するためのインプラントへと形成されている、組成物。
【請求項２３】
骨修復または骨再生のための組成物であって、以下：
ａ）生体再吸収可能なポリマーマトリクス
ｂ）該マトリクス中の生体適合性のミクロ粒子またはナノ粒子であって、該マトリクスの機械的特性を増強するのに効果的であり、足場内の骨細胞の高密度の内殖、移植後の内殖組織と周囲組織との統合、血管形成、または美容外科的回復を可能にする、ミクロ粒子またはナノ粒子；および
ｃ）孔または孔生成材料、
を含む、組成物。
【請求項２４】
請求項２３に記載の組成物であって、ここで、該組成物が、歯周部の修復または再生のための部位に移植されるのに適する、組成物。
【請求項２５】
請求項２３に記載の組成物であって、ここで、該組成物が、歯槽の修復または再生のための部位に移植されるのに適する、組成物。
【請求項２６】
請求項２３に記載の組成物であって、ここで、該組成物が、上顎骨の修復または再生のための部位に移植されるのに適する、組成物。
【請求項２７】
請求項２３に記載の組成物であって、ここで、該組成物が、歯周部の再生のための部位に移植されるのに適しており、該組成物は、
骨隆起を覆う組織内における切開、および該骨隆起からの該組織の分離後に、該組織の下に、注入されるのに適しており、そして、該組成物は、インプラントが該組織の下で所望される形に成形されるのに適する、組成物。
【請求項２８】
請求項２７に記載の組成物であって、該組成物は、前記歯周再生システムに直接投与されるのに適する、治療上有効な量の増殖因子とともに投与されるのに適する、組成物。
【請求項２９】
請求項２８に記載の組成物であって、ここで、前記増殖因子が、２つのβ鎖を有する形態の血小板由来増殖因子（ＰＤＧＦ−ＢＢ）、α鎖およびβ鎖を有する形態の血小板由来増殖因子（ＰＤＧＦ−ＡＢ）、ＩＧＦ−Ｉ、およびＴＧＦ−βからなる群から選択される１つ以上の因子である、組成物。
【請求項３０】
請求項２３に記載の組成物であって、ここで、該組成物が、移植前に補綴インプラントへと形成される、組成物。
【請求項３１】
請求項２３に記載の組成物であって、ここで、該組成物が、骨移植片増量剤を形成する、組成物。
【請求項３２】
請求項３１に記載の組成物であって、ここで、該組成物が、移植片材料を含む、組成物。
【請求項３３】
前記粒子が、骨に類似した前記組成物の圧縮強度を作るのに有効である、請求項１に記載の組成物。
【請求項３４】
前記粒子が、骨に類似した前記組成物の圧縮強度を作るのに有効である、請求項２３に記載の組成物。
【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
少なくとも１つの標的組織の吸収ピークとバンド幅内で一致する狭帯域光を放射する、アレイ状に配置された複数のLEDを有する、電磁放射を利用した生組織の処置のための装置。
【請求項２】
前記LEDに電力を提供し、それらが生じる光強度を変更するための制御箱装置、並びに該LEDによって照射されるパルスの頻度及び持続時間を設定するためのパルス発生装置を更に含む、請求項１記載の装置。
【請求項３】
前記LEDによって放射される光の波長が、300nm、415nm、585nm、590nm、595nm、600nm、630nm、644nm、810nm、940nm及び1400nmからなる群より選択される、請求項1又は２記載の装置。
【請求項４】
前記LEDによって放射される光の波長が590nmであって、皮膚の弾性の改善、しわの減少、皮内温度の上昇からなる群より選択される何れか一つ以上の用途に適用される、請求項１又は２記載の装置。
【請求項５】
少なくとも１つの標的組織の吸収ピークとバンド幅内で一致する、異なる波長の光を放射するLEDを少なくとも１つさらに含み、各LEDは個別に使用又は併用することができ、各LEDが照射した各波長は照射野において重畳される、請求項１〜３の何れか１項記載の装置。
【請求項６】
前記LEDによって照射される少なくとも１種の波長が590nmであって、他の波長が、300nm、415nm、585nm、595nm、600nm、 630nm、644nm、810nm、940nm及び1400nmからなる群より選択された少なくとも１種の波長である、皮膚の弾性の改善、しわの減少、皮内温度の上昇からなる群より選択される何れか一つ以上の用途に適用される、請求項５記載の装置。
【請求項７】
少なくとも１つの標的組織の吸収ピークとそのバンド幅内で一致する単色光を放射する、アレイ状に配置された複数種のレーザダイオードを有し、各レーザダイオードは併用することができ、各レーザダイオードが照射した各波長は照射野において重畳され、狭帯域多色の光を生成する、電磁放射を利用した生組織の処置のための装置。
【請求項８】
前記レーザダイオードに電力を提供し、それらが生じる光強度を変更するための制御箱装置、並びに該レーザダイオードによって照射されるパルスの頻度及び持続時間を設定するためのパルス発生装置を更に含む、請求項７記載の装置。
【請求項９】
前記レーザダイオードによって放射される光の波長が、400nm、430nm、445nm、635nm、655nm、660nm、670nm、780nm、785nm、810nm、830nm、840nm、860nm、904nm、915nm、980nm、1015nm及び1060nmからなる群より選択される、請求項７又は８記載の装置。
【請求項１０】
前記レーザダイオードの少なくとも１つによって放射される光の波長が、595nmであって、皮内温度の上昇の用途に適用される、請求項７〜９の何れか１項記載の装置。
【請求項１１】
前記レーザダイオードの少なくとも１つによって放射される光の波長が、810nmであって、しわ減少の用途に適用される、請求項７〜９の何れか１項記載の装置。
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
チオール基および反応性の付加的部分を含むチオール含有ポリホスホン酸からなる抗石灰化剤。
【請求項２】
反応性の付加的部分は少なくとも１つのアミノ基およびカルボキシル基である請求項１に記載の抗石灰化剤。
【請求項３】
反応性の付加的部分はアミノ基を含み、前記チオール含有ポリホスホン酸はアミノ‐チオール含有ポリホスホン酸である、請求項２に記載の抗石灰化剤。
【請求項４】
前記アミノ‐チオール含有ポリホスホン酸がβ‐アミノ‐チオール含有ポリホスホン酸である請求項３に記載の抗石灰化剤。
【請求項５】
前記β‐アミノ‐チオール含有ポリホスホン酸がβ‐アミノ‐チオール含有ビスホスホン酸である請求項４に記載の抗石灰化剤。
【請求項６】
前記β‐アミノ‐チオール含有ビスホスホン酸が２‐（２‐メルカプトエチルアミノ）‐エチリデン‐１，１‐ビスホスホン酸である請求項５に記載の抗石灰化剤。
【請求項７】
反応性の付加的部分はカルボキシル基を含み、前記チオール含有ポリホスホン酸はカルボキシ‐チオール含有ポリホスホン酸である、請求項２に記載の抗石灰化剤。
【請求項８】
反応性の付加的部分はアミノ基およびカルボキシル基を含み、前記チオール含有ポリホスホン酸はアミノ‐カルボキシ‐チオール含有ポリホスホン酸である、請求項２に記載の抗石灰化剤。
【請求項９】
ポリエポキシドおよび請求項１に記載の抗石灰化剤と架橋したバイオプロテーゼ組織からなるバイオプロテーゼ物であって、抗石灰化剤がチオール基によってポリエポキシドに共有結合していることを特徴とするバイオプロテーゼ物。
【請求項１０】
バイオプロテーゼ組織の処理方法であって、前記バイオプロテーゼ組織を請求項１に記載の抗石灰化剤の存在下でポリエポキシドと接触させることからなり、前記接触は、前記バイオプロテーゼ組織が前記ポリエポキシドと架橋し、かつ前記抗石灰化剤がチオール基を介して前記ポリエポキシドに共有結合するような温度および時間でなされ、これにより該バイオプロテーゼ組織が生体内で抗石灰化作用を示すことを特徴とする方法。
【請求項１１】
前記バイオプロテーゼ組織の前記ポリエポキシドとの架橋と、前記抗石灰化剤の前記ポリエポキシドへの結合とが同時になされることを特徴とする請求項１０に記載の方法。
【請求項１２】
前記抗石灰化剤が、少なくとも１つのアミノ‐チオール含有ポリホスホン酸、カルボキシ‐チオール含有ポリホスホン酸およびアミノ‐カルボキシ‐チオール含有ポリホスホン酸を含むことを特徴とする請求項１０に記載の方法。
【請求項１３】
前記抗石灰化剤がアミノ‐チオール含有ポリホスホン酸を含むことを特徴とする請求項１２に記載の方法。
【請求項１４】
前記アミノ‐チオール含有ポリホスホン酸が、（i ）アミノ含有ジスルフィドをポリホスホン酸ビニルと反応させて、ジスルフィド結合を有するアミノ‐ジスルフィド含有ポリホスホン酸を形成する工程と、（ii）該ジスルフィド結合を切断して前記アミノ‐チオール含有ポリホスホン酸を形成する工程とからなる製法によって製造されることを特徴とする請求項１２または１３に記載の方法。
【請求項１５】
前記ポリホスホン酸ビニルがビスホスホン酸ビニルである請求項１４に記載の方法。
【請求項１６】
前記アミノ‐チオール含有ポリホスホン酸が２‐（２‐メルカプトエチルアミノ）‐エチリデン‐１，１‐ビスホスホン酸（ＭＡＢＰ）である請求項１３に記載の方法。
【請求項１７】
前記アミノ‐チオール含有ポリホスホン酸の存在により、共存する前記ポリエポキシドと前記バイオプロテーゼ組織との間の架橋反応が影響を受けないことを特徴とする請求項１３に記載の方法。
【請求項１８】
前記バイオプロテーゼ組織がバイオプロテーゼ弁膜尖である請求項１０に記載の方法。
【請求項１９】
バイオプロテーゼ組織を請求項１に記載の抗石灰化剤の存在下でポリエポキシドと接触させることからなる方法で製造されるバイオプロテーゼ物であって、前期接触は、前記バイオプロテーゼ組織が前記ポリエポキシドと架橋し、かつ前記抗石灰化剤がチオール基を介して前記ポリエポキシドに共有結合するような温度および時間でなされ、これにより前記バイオプロテーゼ物が製造され、かつ改善された生体内抗石灰化作用を備えることを特徴とする、バイオプロテーゼ物。
【手続補正２】
【補正対象書類名】明細書
【補正対象項目名】００１９
【補正方法】変更
【補正の内容】
【００１９】
従って、本発明は（i ）チオール基の反応性を高める、または（ii）チオール基がエポキシドを攻撃するのに好適な環境をつくりだす付加的部分を備えたチオール含有ポリホスホン酸の使用を意図するものである。そのような付加的部分の例は、近接したアミノ基およびカルボキシル基、またはチオール基を有する芳香族基および複素環基の少なくともい
ずれかである。
【手続補正書】
【提出日】平成17年7月22日(2005.7.22)
【手続補正１】
【補正対象書類名】明細書
【補正対象項目名】００２０
【補正方法】変更
【補正の内容】
【００２０】
本体１２は、強膜面１４、眼窩面１６、前側部１８および後側部２０を有する。また、本体１２は、その内部に配置される貯蔵部２２を有する。好ましくは、貯蔵部２２は、本体１２の長さ全体に延在し、後側部２０への複数の開口部２５を有する。また、図３および図４には示されていないが、貯蔵部２２は、本体１２の強膜面１４、前側部１８または眼窩面１６への一つ以上の開口部を有してもよい。図３および図４に示されるように、開口部２５は、ほぼ矩形状断面を有するが、いかなる断面形状もが、これらの開口部に使用されることができる。
【手続補正２】
【補正対象書類名】明細書
【補正対象項目名】００２７
【補正方法】変更
【補正の内容】
【００２７】
装置１０は、特有の流動体１０４および使用された医薬品として活性な作用物質の特有の物理化学的な特性に依存して、長年にわたって、強膜５８および脈絡膜６０を通して網膜６２内へ医薬上有効な量の医薬品として活性な作用物質を投与することに使用されることができると考えられる。重要な物理化学的な特質には、疎水性、溶解性、溶出速度、拡散係数および組織親和性が含まれる。さらに、装置１０は、特有の流動体１０４と医薬品として活性な作用物質および初期物とに依存して、黄斑部７２の近接部を主とした薬剤の局部的な投与と、または、実質的に網膜全体への薬剤の投与との両方の投与に使用されうると考えられる。貯蔵部２２が流動体１０４を含まなくなった後、外科医は、上述のようにして貯蔵部２２を再充填する。図１から図４には示されていないが、本体１２の後側部２０は、鋭利な面または縁を有してもよい。貯蔵部２２の再充填の間において、外科医は、僅かに後側に装置１０を動かし、この鋭利な面または縁が、移植後に装置１０を包む任意の結合組織に穴を開ける。この結合組織の穴明けは、開口部２５を介した流動体１０４の適当な分配を容易にする。さらに、製剤のテノン嚢下への反復注入とは異なり、装置１０は、眼の眼球への浸透の危険を最小限にし、強膜５８の外側面上のテノン嚢の下に流動体１０４が常に分配されることをもたらし、強膜５８の外側面の所望の部分上への流動体１０４の再現可能な分配をもたらす。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
配列特異的ＤＮＡ結合タンパク質の検出方法であって、
（ａ）  検出デュプレックス（duplex）と、少なくとも一つの配列特異的ＤＮＡ結合タンパク質を含むと思われる試料とを、該デュプレックスと該ＤＮＡ結合タンパク質との間の配列特異的結合をさせるに十分な時間接触させ、
（ｂ）  工程（ａ）からの混合物と、検出デュプレックスを切断できる切断試薬とを接触させ、ここで検出デュプレックスの切断は該ＤＮＡ結合タンパク質の該デュプレックスへの結合によって阻害され、かつ
（ｃ）  該ＤＮＡ結合タンパク質による該切断の阻害を検出する
ことを含んでなる、方法。
【請求項２】
切断試薬が、配列特異的切断試薬である、請求項１に記載の方法。
【請求項３】
配列特異的切断試薬が、制限エンドヌクレアーゼであり、かつ、検出デュプレックスが、制限エンドヌクレアーゼ認識部位を含んでなる、請求項１に記載の方法。
【請求項４】
制限エンドヌクレアーゼが、タイプII制限エンドヌクレアーゼであり、かつ、制限エンドヌクレアーゼ認識部位が、タイプII制限エンドヌクレアーゼ認識部位である、請求項３に記載の方法。
【請求項５】
制限エンドヌクレアーゼが、タイプIIs制限エンドヌクレアーゼであり、かつ、制限エンドヌクレアーゼ認識部位が、タイプIIs制限エンドヌクレアーゼ認識部位である、請求項３に記載の方法。
【請求項６】
該ヌクレアーゼが有意なエンドヌクレアーゼ活性を欠くエキソヌクレアーゼである、請求項１に記載の方法。
【請求項７】
検出デュプレックスが、
（ｉ）タグ配列を含む第一のオリゴヌクレオチドと、
（ii）第一のオリゴヌクレオチドと相補的であって、検出可能な標識を含んでなる、第二のオリゴヌクレオチド
とを含んでなる、請求項１に記載の方法。
【請求項８】
検出デュプレックスが、捕捉タグをさらに含んでなる、請求項７に記載の検出法。
【請求項９】
検出デュプレックスが、試料と接触させる前に捕捉タグを介して固体支持体上に固定化される、請求項８に記載の方法。
【請求項１０】
検出デュプレックスが、捕捉タグを介して固体支持体上に固定化される、請求項８に記載の方法。
【請求項１１】
複数の検出デュプレックスを用い、各検出デュプレックスが固体表面の予め決められた位置でのデュプレックスの捕捉を可能にする捕捉タグを有している、請求項８に記載の方法。
【請求項１２】
配列特異的ＤＮＡ結合タンパク質の検出方法であって、
（ａ）  少なくとも一つの配列特異的ＤＮＡ結合タンパク質を含み得る試料と、各検出デュプレックスが捕捉タグを含んでなる、複数の検出デュプレックスとを、該デュプレックスと該結合タンパク質との間の配列特異的結合をさせるに十分な時間接触させ、
（ｂ）  固体支持体上の予め決められた位置に検出デュプレックスを固定し、かつ
（ｃ）  該デュプレックスと該結合タンパク質との間の結合を検出する
ことを含んでなる、方法。
【請求項１３】
固体支持体への検出デュプレックスの固定化が、デュプレックスと試料とを接触させる前に行われる、請求項１２に記載の方法。
【請求項１４】
固体支持体への検出デュプレックスの固定化が、デュプレックスと試料とを接触させた後に行われる、請求項１２に記載の方法。
【請求項１５】
配列特異的ＤＮＡ結合タンパク質の検出方法であって、
（ａ）  少なくとも一つの配列特異的ＤＮＡ結合タンパク質を含み得る試料と、タンパク質と結合する、複数の固定化された検出デュプレックスとを、該デュプレックスと該結合タンパク質との間の配列特異的結合をさせるに十分な時間接触させ、ここで、固定化された検出デュプレックスは、固体支持体上の予め決められた位置に固定化されており、かつ、
（ｂ）  該デュプレックスと該結合タンパク質との間の結合を検出する
ことを含んでなる、方法。
【請求項１６】
検出が、検出デュプレックスとの接触前に、該タンパク質試料を検出可能な標識で標識することにより行われる、請求項１２〜１５のいずれか一項に記載の方法。
【請求項１７】
検出が、該結合タンパク質を特異的に結合する検出試薬により行われる、請求項１２〜１５のいずれか一項に記載の方法。
【請求項１８】
検出試薬が抗体である、請求項１７に記載の方法。
【請求項１９】
配列特異的ＤＮＡ結合タンパク質の検出方法であって、
（ａ）  少なくとも一つの配列特異的ＤＮＡ結合タンパク質を含み得る試料と、複数の検出デュプレックスとを、該デュプレックスと該結合タンパク質との間の配列特異的結合をさせるに十分な時間接触させ、ここで、各検出デュプレックスは、検出可能な標識を含んでなり、
（ｂ）  固体支持体上の予め決められた位置へのタンパク質の捕捉により、検出デュプレックスを固定し、かつ
（ｃ）  検出可能な標識によって固定化したデュプレックスを検出する
ことを含んでなる、方法。
【請求項２０】
検出可能な標識がビオチンである、請求項１９に記載の方法。
【請求項２１】
検出可能な標識が蛍光染料である、請求項１９に記載の方法。
【請求項２２】
配列特異的ＤＮＡ結合タンパク質の検出方法であって、
（ａ）  捕捉表面と、少なくとも一つの配列特異的ＤＮＡ結合タンパク質を含み得る試料とを、捕捉表面で該配列特異的結合タンパク質を捕捉させるに十分な時間接触させ、ここで、捕捉表面は、予め決められた位置で表面に保持された、複数のタンパク質特異的結合部位を含んでなり、
（ｂ）  該捕捉表面と、複数の検出デュプレックスとを接触させ、かつ
（ｃ）  該デュプレックスと該結合タンパク質との間の結合を検出する
ことを含んでなる、方法。
【請求項２３】
複数の検出デュプレックスを用い、かつ、各検出デュプレックスが固体支持体上の予め決められた位置で固定化されてなる、請求項１に記載の方法。
【請求項２４】
複数の検出デュプレックスを用い、かつ、各検出デュプレックスが予め決められたビーズまたは微粒子上でのデュプレックスの捕捉を可能にする捕捉タグを含んでなる、請求項８に記載の方法。